(57)【要約】【課題】作動部材まわりにストッパ部材を取り付け、操作部材の操作を不能とする噴出器にあって、部品点数が増加したり、製造コストがアップしたりすることなく、機種が違ってもできるだけ共通して使用できる汎用性を持たせ、ストッパ構造とともにバージンシーツ構造を保有せしめる。【解決手段】噴出器にあって、ステム（作動部材）まわりに取り付けて備え、押下釦（操作部材）の操作を不能とするストッパ部材３０において、ステムをその移動方向に貫挿して押下釦の押し下げ操作を不能とするストッパ腕部３１と、使用時に例えば引っ張って切り取るバージンシール部３６とでリング状につくり、バージンシール部を切り取ったとき、ストッパ腕部を両側からねじキャップ２１の筒部２２に抱き付かせるとともにその筒部に対し開閉して着脱自在とする弾性を、前記ストッパ腕部３１に保有せしめる。【選択図】      図２
2006240638.tif 000002
【特許請求の範囲】
【請求項１】
容器の口部に噴射装置を取り付け、その噴射装置の操作部材を操作して作動部材を移動し、前記容器の内容物を前記噴射装置内を通してそれに設ける噴出口から外部に噴射する噴出器にあって、前記作動部材まわりに取り付けて備え、前記操作部材の操作を不能とするストッパ部材において、
前記作動部材をその移動方向に貫挿して前記操作部材の操作を不能とするストッパ腕部と、使用時に切り取るバージンシール部とでリング状につくり、
前記バージンシール部を切り取ったとき、前記ストッパ腕部を開閉して前記作動部材まわりで着脱自在とする弾性を、前記ストッパ腕部に保有せしめることを特徴とする、ストッパ部材。
【請求項２】
前記ストッパ腕部に、前記作動部材まわりで着脱するときに保持する取手部を設けることを特徴とする、請求項１に記載のストッパ部材。
【請求項３】
前記バージンシール部に、それを切り取るときに摘む把持部を設けることを特徴とする、請求項１または２に記載のストッパ部材。
【請求項４】
前記取手部を設ける前記ストッパ腕部を対称な形状の２つの部分で構成し、それら２つの部分の一端縁側を前記バージンシール部で連結する一方、他端縁側に、前記作動部材まわりに取り付けるときそれらの２つの部分を互いに連結可能とする連結部を設けることを特徴とする、請求項２または３に記載のストッパ部材。
【請求項５】
前記連結部として、前記ストッパ腕部を構成する第１部分に掛止穴を、第２部分に、その掛止穴に掛け止める掛止ボタンを形成することを特徴とする、請求項４に記載のストッパ部材。
【請求項６】
請求項１ないし５のいずれか１に記載のストッパ部材を前記作動部材まわりに取り付け、前記操作部材を操作したとき前記作動部材またはそれに取り付ける部材をストッパ部材に当てて前記操作部材の操作を不能とすることを特徴とする、噴射装置。
【請求項７】
請求項６に記載の噴射装置を備えることを特徴とする、噴出器。
【発明の詳細な説明】
【技術分野】
【０００１】
この発明は、容器の口部に、ポンプ式やエアゾール式の噴射装置を取り付け、その噴射装置の、押下釦やトリガーレバーなどの操作部材を操作したとき、その操作部材の操作により作動するステムなどの作動部材を移動し、容器の内容物を噴射装置内を通してそれに設ける噴出口から外部に噴射する、化粧用等で用いる噴出器に関する。および、そのような噴出器に備える、ポンプ式やエアゾール式の噴射装置に関する。および、そのような噴射装置において、ステムなどの作動部材まわりに取り付けて備え、押下釦やトリガーレバーなどの操作部材の操作を不能とするストッパ部材に関する。
【背景技術】
【０００２】
噴出器は、例えば図１１や図１２に示すように、容器１の口部にねじキャップ２をねじ付けて噴射装置３を取り付ける。そして、噴射装置３の押下釦４を押し下げることにより、ステム５（図１２では押下釦４で隠れて見えない）を押し込んで容器１の内容物を噴射装置３内を通して押下釦４の噴出口６から外部へと噴射する構成となっている。図１１に示す噴出器は、くちばし状の噴出部７の先端に噴出口６を設け、図１２に示す噴出器では、若干突出する噴出部８の先端に噴出口６を設けている。
【０００３】
ポンプ式の噴出器では、ステム５を往復動することにより、容器１の内容物をポンプ式噴射装置３で汲み上げて容器１の外部へと噴射する。エアゾール式の噴出器では、ステム５を押し込むことにより、噴射装置３の出口弁を開いて容器１内に内容物とともに収容する噴射剤の圧力により、内容物を容器１の外部へと噴射する。
【０００４】
ところで、昨今は、資源保護や環境破壊防止の観点から、包装の簡素化が叫ばれ、この種の噴出器でも、最近では包装なしで出荷され、店頭で展示されるものが多くなってきた。しかしながら、このような商品では、出荷前や店頭展示時に、不用意に、またいたずらで押下釦４が押し下げられることがあり、そのような場合には、内容物を噴射して自身を汚したり他の商品やまわりを汚したりする問題があった。また、容器１内の内容物を減少して、商品としての価値を低減する問題もあった。
【０００５】
他方、商品購入後においても、例えばユーザーが噴出器を携行するとき、バック内にある噴出器の押下釦やトリガーレバー等の操作部材を誤って押し込んだり回動したりして内容物を噴射し、バック内を汚したり、容器１の内容物を無駄に消費したりする問題があった。
【０００６】
このため、従来の噴出器の中には、使用不能にシールするバージンシール構造を備え、使用するときはそのバージンシールを除去してシールを解除するものがあり、このような商品では、バージンシールがあることで未使用であることを消費者に示していた。
【０００７】
また、従来の噴出器の中には、
１）押下釦の一部をのばしてねじキャップに突き当て、出荷前や店頭展示時における押下釦の押し下げを阻止するとともに、使用時にはその一部を切除することにより押下釦の押し下げを可能とする、
２）押下釦とねじキャップ間でステムまわりにストッパ部材を取り付けてそのストッパ部材に押下釦を押し当ててステムの押し込みを阻止する、
３）押下釦を最下点まで押し下げてねじキャップにねじ付け、使用時にはそのねじ付けを解除することにより押下釦を戻して押下釦の押し下げを可能とする、
などのストッパ構造を備え、操作部材の不用意な操作を阻止するものもあった。
【０００８】
従来の噴出器の中には、また、バージンシール構造を有するとともに、ストッパ構造を備えるものもあった。
【特許文献１】特開平８−１５１０６５号公報
【特許文献２】特開２００３−４０３１０号公報
【発明の開示】
【発明が解決しようとする課題】
【０００９】
しかしながら、そのようなバージンシール構造とストッパ構造とを併せて備える従来の噴出器では、それらバージンシール構造とストッパ構造とをそれぞれ別個に備えることから、部品点数が増加したり、製造コストがアップしたり、機種ごとに形状を変えなければならず、汎用性がないなどの問題があった。
【００１０】
また、上述したストッパ構造のうち、１）のように使用時に押下釦の一部を切除するものでは、切除後は押下釦の押し下げを禁止することができない問題があった。また、３）のように押下釦をねじキャップにねじ付けるものでは、押下釦の押し下げを禁止するとき、不必要に内容物を噴射する問題があり、またステムを押し込んだ状態で維持することから、エアゾール式のものには適用できない問題があった。
【００１１】
そこで、この発明の目的は、上述したストッパ構造のうち２）のようにステムなどの作動部材まわりにストッパ部材を取り付け、操作部材の操作を不能とする噴出器にあって、部品点数が増加したり、製造コストがアップしたりすることなく、機種が違ってもできるだけ共通して使用できる汎用性を持たせ、ストッパ構造とともにバージンシーツ構造を保有せしめることにある。
【課題を解決するための手段】
【００１２】
そのため、請求項１に記載の発明は、
ボトル状等の容器の口部に、ポンプ式やエアゾール式の噴射装置を取り付け、その噴射装置の、押下釦やトリガーレバー等の操作部材を操作して、その操作部材の操作により作動するステム等の作動部材を移動し、前記容器の内容物を前記噴射装置内を通してそれに設ける噴出口から外部に噴射する噴出器にあって、前記作動部材まわりに取り付けて備え、前記操作部材の操作を不能とするストッパ部材において、
前記作動部材をその移動方向に貫挿して前記操作部材の操作を不能とするストッパ腕部と、使用時に例えば引っ張って切り取るバージンシール部とでリング状につくり、
前記バージンシール部を切り取ったとき、前記ストッパ腕部を開閉して両側から前記作動部材まわりで着脱自在とする弾性を、前記ストッパ腕部に保有せしめる、ことを特徴とする。ストッパ部材は、作動部材のまわりの、例えば作動部材が貫通するねじキャップの筒部に取り付けて備える。
【００１３】
そして、出荷前や搬送時や店頭展示時には、リング状のストッパ部材のストッパ腕部に作動部材をその移動方向に貫挿して作動部材まわりにストッパ部材を取り付け、ストッパ腕部で操作部材の操作を不能とするとともに、ストッパ部材のバージンシール部で未使用であることを表示する。商品購入後には、ユーザーがバージンシール部を切り取り、ストッパ腕部の弾性を利用して作動部材まわりにストッパ部材を抱き付かせるとともに開閉して作動部材まわりで着脱とする。
【００１４】
請求項２に記載の発明は、請求項１に記載のストッパ部材において、前記ストッパ腕部に、前記作動部材まわりで着脱するときに手で保持する取手部を設ける、ことを特徴とする。
【００１５】
そして、取手部を手で保持してストッパ腕部を弾性に抗して押し開いたり弾性で閉じたりし、作動部材まわりでストッパ部材を着脱して、ストッパ腕部で操作部材の不用意な操作を阻止したりその阻止を解除したりする。
【００１６】
請求項３に記載の発明は、請求項１または２に記載のストッパ部材において、前記バージンシール部に、それを切り取るときに手で摘む把持部を設ける、ことを特徴とする。
【００１７】
そして、使用時は、把持部を手で摘んで例えば引っ張ってバージンシール部を薄肉部などで切り取り、ストッパ腕部を弾性で両側から作動部材まわりにストッパ部材を着脱自在に取り付ける。
【００１８】
請求項４に記載の発明は、請求項２または３に記載のストッパ部材において、前記取手部を設ける前記ストッパ腕部を対称な形状の２つの部分で構成し、それら２つの部分の一端縁側を前記バージンシール部で連結する一方、他端縁側に、前記作動部材まわりに取り付けるときそれらの２つの部分を互いに連結可能とする連結部を設ける、ことを特徴とする。
【００１９】
そして、ストッパ部材を作動部材まわりに取り付けるとき、２つの部分で作動部材を両側から挟んで２つの部分を連結部で連結し、ストッパ腕部に作動部材をその移動方向に貫挿するようにする。
【００２０】
請求項５に記載の発明は、請求項４に記載のストッパ部材において、前記連結部として、前記ストッパ腕部を構成する第１部分に掛止穴を、前記ストッパ腕部を構成する第２部分に、その掛止穴に掛け止める掛止ボタンを形成する、ことを特徴とする。
【００２１】
そして、２つの部分で作動部材を両側から挟んで２つの部分を連結部で連結するとき、第１部分の掛止穴に第２部分の掛止ボタンを掛け止める。
【００２２】
請求項６に記載の発明は、請求項１ないし５のいずれか１に記載のストッパ部材を前記作動部材まわりに取り付け、前記操作部材を操作したとき前記作動部材またはそれに取り付ける部材をストッパ部材に当てて前記操作部材の操作を不能とすることを特徴とする、噴射装置である。
【００２３】
請求項７に記載の発明は、請求項６に記載の噴射装置を備えることを特徴とする、噴出器である。
【発明の効果】
【００２４】
請求項１ないし５に記載の発明によれば、出荷前や出荷搬送時や店頭展示時には、ストッパ腕部で操作部材の操作を不能とするとともに、ストッパ部材のバージンシール部で未使用であることを表示するので、操作部材の操作を不能とするストッパ構造を保有せしめるとともに、未使用であることを示すバージンシール構造の双方を保有せしめることができる。また、商品購入後は、ユーザーがバージンシール部を切り取ることにより、ストッパ部材にバージンシール部がないことから、使用済みのものであることを明らかにすることができるとともに、ストッパ腕部の弾性を利用して作動部材まわりでストッパ部材を着脱し、ストッパ部材のストッパ腕部で操作部材の不用意な操作を阻止したりその阻止を解除したりすることができる。
【００２５】
また、ストッパ部材を、作動部材をその移動方向に貫挿するストッパ腕部と、使用時に例えば引っ張って切り取るバージンシール部とでリング状につくるので、バージンシール構造とストッパ構造とを併せ持たせることができるストッパ部材を一体に構成し、部品点数を削減するとともに、製造コストを低減することができる。さらに、機種が違っても作動部材まわりに取り付けることができれば、共通のストッパ部材の使用が可能となり、ストッパ部材に汎用性を持たせることができる。
【００２６】
請求項２に記載の発明によれば、加えて、取手部を手で保持してストッパ腕部を弾性に抗して押し開いたり弾性で閉じたりし、作動部材まわりでストッパ部材を着脱するので、ストッパ部材の着脱を簡単とし、ストッパ腕部で操作部材の不用意な操作を阻止したりその阻止を解除したりすることを容易に行うことができる。
【００２７】
請求項３に記載の発明によれば、加えて、使用時は、把持部を手で摘んで例えば引っ張ってバージンシール部を薄肉部などで切り取るので、バージンシール部の切り取りを簡単とし、ストッパ腕部を弾性で両側から作動部材まわりにストッパ部材を着脱自在に取り付けることを容易とすることができる。
【００２８】
請求項４に記載の発明によれば、加えて、ストッパ部材を作動部材まわりに取り付けるとき、２つの部分で作動部材を両側から挟んで２つの部分を連結部で連結するので、ストッパ腕部に作動部材をその移動方向に簡単に貫挿することができる。
【００２９】
請求項５に記載の発明によれば、加えて、作動部材を両側から挟んで２つの部分を連結部で連結するとき、第１部分の掛止穴に第２部分の掛止ボタンを掛け止めるので、２つの部分の連結を容易とすることができる。
【００３０】
請求項６に記載の発明によれば、噴射装置にあって、請求項１ないし５のいずれか１に記載のストッパ部材を作動部材まわりに取り付け、操作部材を操作したとき作動部材またはそれに取り付ける部材をストッパ部材に当てて操作部材の操作を不能とするので、上述した効果を有するストッパ部材を使用した噴射装置を提供することができる。
【００３１】
請求項７に記載の発明によれば、噴出器にあって、請求項６に記載の噴出装置を備えるので、上述した効果を有する噴射装置を備えた噴出器を提供することができる。
【発明を実施するための最良の形態】
【００３２】
以下、図面を参照しつつ、この発明の実施の最良形態につき説明する。
図１には、この発明による往復ポンプ式の噴出器の外観を示す。
【００３３】
図中符号１０は、容器である。容器１０は、プラスチック材料でボトル形状につくり、その口部１１外周に雄ネジを設け、図示省略するが、この例では、内部に、内容物として化粧液を収納する。その容器１０の口部１１には、ポンプ式噴射装置２０を取り付ける。
【００３４】
ポンプ式噴射装置２０には、ねじキャップ２１を設ける。ねじキャップ２１は、内周に雌ネジを有するとともに、頂部中央から立ち上げて筒部２２を有する。そして、容器１０の口部１１にポンプ式噴射装置２０を取り付けるとき、ねじキャップ２１を用い、口部１１に被せてねじ付けてなる。
【００３５】
図示省略するが、噴射装置２０には、ハウジング、そのハウジング内に挿入してハウジング内にシリンダ室を形成するピストン、シリンダ室の入口に設ける入口弁、出口に設ける出口弁、シリンダ室に設けてピストンを復帰する復帰スプリングなどを備える。そして、ハウジングに上から被せてねじキャップ２１を取り付けるとともに、ピストンと一体にまたはピストンに連結して、作動部材であるステム２８を設け、ねじキャップ２１の前述した筒部２２を貫通して上向きに突出し、ねじキャップ２１に対し、長さ方向にスライドして出入り自在に設ける。
【００３６】
ステム２８まわりである、ねじキャップ２１から立ち上がる筒部２２には、組み立て時に、ストッパ部材３０を取り付ける。その後、ステム２８の先端に、操作部材である押下釦２３を例えば圧入により取り付ける。このとき、筒部２２の上端部は、押下釦２３の不図示の環状溝内に入り込む。押下釦２３は、ステム２８より外径が大きく、図示例では、外周からのばしてくちばし状の噴出部２４を形成し、その先端に噴出口２５を設ける。図示しないが、ステム２８内および押下釦２３内には、噴出口２５に通ずる噴出通路を形成する。また、この例では、押下釦２３の頂部まわりに、鍔部２６を形成している。
【００３７】
図２には図１に示すストッパ部材３０を斜め上から見て示し、図３（Ａ）には図１に示すストッパ部材３０をそのまま拡大して示し、（Ｂ）にはその右側面を示し、そして（Ｃ）には平面を示す。
【００３８】
ストッパ部材３０は、全体をプラスチック材料を用いて一体成形で形成し、ストッパ腕部３１とバージンシール部３６とでリング状につくる。ストッパ腕部３１は、筒状で、バージンシール部３６を設ける側の両端縁３２を外側に徐々に開いてテーパ状に形成する。そのストッパ腕部３１の、バージンシール部３６を設けると反対側には、外向きに取手部３３を設ける。取手部３３は、筒部２２に対して着脱するときに保持する部分で、筒状のストッパ腕部３１の径方向にのびる接合面部３４と、その先端に湾曲して設ける指掛け部３５とで構成する。
【００３９】
一方、バージンシール部３６は、板状につくり、使用時に切り取ることができるように、その両側縁を薄肉部３７を介してストッパ腕部３１の両端縁３２に接続する。そして、その外面一点に、短い角棒状の連結部３８で連結して把持部３９をバージンシール部３６とほぼ平行に設ける。把持部３９は、板状で、バージンシール部３６を切り取るときに摘むことができるように、バージンシール部３６に対して少し上方にずらして設ける。
【００４０】
ところで、取手部３３を設けるストッパ腕部３１は、対称な形状の第１部分４０と第２部分４１とよりなる２つの部分で構成し、それら２つの部分４０・４１の一端縁側をバージンシール部３６で連結する一方、他端縁側に、筒部２２に取り付けるときそれらの２つの部分４０・４１を互いに連結可能とする連結部４２を設ける。
【００４１】
連結部４２として、ストッパ腕部３１を構成する第１部分４０に掛止穴４３を、第２部分４１に、その掛止穴４３に掛け止める掛止ボタン４４を形成する。
【００４２】
そして、筒部２２に取り付ける前は、図４に示すように、他端縁側を開いてストッパ腕部３１内に筒部２２を入れて後、他端縁側を閉じて接合面部３４位置で重ねあわせ、２つの部分４０・４１で筒部２２を両側から挟んで第１部分４０の掛止穴４３に第２部分４１の掛止ボタン４４を掛け止め、図２および図３（Ａ）ないし（Ｃ）に示す状態にして図５に示すように２つの部分４０・４１を連結部４２で連結する。
【００４３】
このようにすることで、２つの部分４０・４１の連結を容易とし、ストッパ腕部３１を筒部２２まわりに簡単に取り付けることができる。
【００４４】
そして、出荷前や搬送時や店頭展示時には、リング状のストッパ部材３０のストッパ腕部３１にステム２２をその移動方向に貫挿して筒部２２にストッパ部材３０を取り付け、押下釦２３を押し下げたとき、ステム２８に取り付ける押下釦２３をストッパ部材３０のストッパ腕部３１に当てて押下釦２３の押し下げを不能とするとともに、ストッパ部材３０のバージンシール部３６で未使用であることを表示する。
【００４５】
この噴出器を購入したユーザーが使用するときは、把持部３９の上部を手で摘んで引っ張ることにより薄肉部３７を上から順に切り裂いて図６に示すようにストッパ部材３０からバージンシール部３６を切り取る。そして、図７に示すように筒部２２に抱き付かせるとともにその筒部２２に対して開閉して着脱自在とする弾性を、ストッパ腕部３１に保有せしめる。
【００４６】
これにより、商品購入後は、ユーザーがバージンシール部３６を切り取ることにより、ストッパ部材３０にバージンシール部３６がないことから、使用済みのものであることを明らかにすることができる。また、ストッパ腕部３１の弾性を利用して筒部２２に対してストッパ部材３０を抱き付かせるとともに、ストッパ部材３０を着脱し、ストッパ部材３０のストッパ腕部３１で押下釦２３の不用意な押し下げを阻止したりその阻止を解除したりすることができる。
【００４７】
すなわち、押下釦２３の押し下げ操作を可能とするときは、図８（Ａ）に示すようにストッパ部材３０を筒部２２に取り付けた状態から、取手部３３を手で保持して矢印Ａ方向に引っ張り、ストッパ腕部３１を弾性に抗して押し開いて図８（Ｂ）に示すように取り外す。そして、ストッパ腕部３１による押し下げ阻止を解除する。
【００４８】
そして、噴出口２５を目的部位に向け、操作部材である押下釦２３に手を掛けてそれを押し下げ操作すると、作動部材であるステム２８を押し込んで不図示のピストンをハウジング内に入れ、シリンダ室の圧力を上昇して出口弁を開き、シリンダ室の内容物をステム２８内および押下釦２３内の噴出通路を通して噴出口２５から外部へと噴射する。
【００４９】
押下釦２３から手を離すと、復帰スプリングの付勢力でピストンを復帰してステム２８を押し戻し、押下釦２３を押し上げる。すると、シリンダ室が負圧化して出口弁を閉じるとともに入口弁を開き、容器１０の内容物をシリンダ室に吸い上げる。この繰り返しにより、容器１０の内容物をいったんシリンダ室に汲み上げ、噴出口２５から容器１０外へと噴射することができる。
【００５０】
使用後に、反対に押下釦２３の押し下げ操作を不能とするときは、図８（Ｂ）に示す状態から、取手部３３を手で保持してストッパ腕部３１のテーパ状の両端縁３２を筒部２２の外周に押し当て、矢印Ｂ方向に押し込んでストッパ腕部３１を弾性に抗して押し開き、図８（Ａ）に示すように筒部２２に取り付け後、ストッパ腕部３１を自身の弾性で閉じて筒部２２に抱き付かせる。
【００５１】
そして、ストッパ腕部３１で押下釦２３の不用意な押し下げを阻止し、携行中等にステム２８を不用意に押し込んだり、子供がいたずらしている間に誤ってステム２８を押し込んだりするおそれをなくすことができる。
【００５２】
また、ストッパ部材３０を、ステム２８をその移動方向に貫挿するストッパ腕部３１と、使用時に例えば引っ張って切り取るバージンシール部３６とで構成してリング状につくる。そして、使用前にあっては未使用であることを示すとともに操作部材の不用意な操作を阻止するバージンシール構造と、使用後にあっては必要に応じて操作部材の不用意な操作を阻止することができるストッパ構造とを併せ持たせることができるストッパ部材３０を一体に構成し、部品点数を削減するとともに、製造コストを低減することができる。さらに、機種が違ってもステム２８まわりに取り付けることができれば、共通のストッパ部材３０の使用が可能となり、ストッパ部材３０に汎用性を持たせることができる。
【００５３】
なお、この図示例では、ストッパ部材３０を筒部２２から取り外したとき、その取り外したストッパ部材３０を鍔部２６で案内して図９に示すように押下釦２３の外周に付け替えるようにする。このようにすると、押下釦２３の押し下げ操作を妨げることなく、噴出器使用時におけるストッパ部材３０の紛失を防止することができる。
【００５４】
このとき、押下釦２３には、図１０に示すように、上縁の鍔部２６とともに下縁にも鍔部２７を形成し、ストッパ部材３０を押下釦２３に取り付けたとき、そのストッパ部材３０の動きを規制するようにするとよい。このようにすると、ストッパ部材３０が上下方向に外れにくくしてストッパ部材３０を紛失するおそれをより一層少なくすることができる。また、鍔部２６・２７を、ストッパ部材３０の取り付け取り外しのガイドとし、ストッパ部材３０の着脱を容易とすることもできる。
【００５５】
さて、上述した例では、ポンプ式の噴射装置２０や噴出器に用いる場合を示したが、当然エアゾール式の噴射装置や噴出器にも同様に適用することができる。また、操作部材がステム２８の先端に取り付ける押下釦２３であり、その押下釦２３に直接手を掛けてその押下釦２３を押し下げる場合を示したが、もちろん操作部材として、回動してステムを押し込むトリガーレバーなどを用いることもできる。
【００５６】
さらに、作動部材であるステム２８の先端に、操作部材である押下釦２３を取り付け、その押下釦２３の押し下げ操作により押下釦２３をストッパ部材３０のストッパ腕部３１に当てて押下釦２３の押し下げ操作を不能としたが、例えば作動部材の先端に拡径部を設け、操作部材を操作したときその作動部材自身の拡径部をストッパ腕部に当てて操作部材の操作を不能としてもよい。また、操作部材自身を作動部材とし、例えば操作部材であるトリガーレバーを回動操作したときそのトリガーレバー自身をストッパ腕部に当ててトリガーレバーの回動操作を不能とすることもできる。
【００５７】
また、上述した例では、取手部３３を設けるストッパ腕部３１を２つの部分で構成したが、１つの部分で構成し、バージンシール部とでリング状につくってそのリング状につくったストッパ部材にステム等の、操作部材の操作で作動する作動部材を貫挿し、ストッパ部材を作動部材まわりに取り付けるようにしてもよい。そして、その後に、作動部材に例えば押下釦等を取り付けるようにする。
【図面の簡単な説明】
【００５８】
【図１】この発明による往復ポンプ式の噴出器の外観正面図である。
【図２】その噴出器の噴射装置に取り付けるストッパ部材の斜視図である。
【図３】（Ａ）はそのストッパ部材の正面図、（Ｂ）は右側面図、（Ｃ）は平面図である。
【図４】そのストッパ部材を構成する２つの部分を開いた状態の平面図である。
【図５】そのストッパ部材を取り付けた状態の噴射装置の拡大正面図である。
【図６】そのストッパ部材からバージンシール部を切り取った状態の平面図である。
【図７】バージンシール部を切り取った状態における噴射装置の拡大正面図である。
【図８】（Ａ）はストッパ部材をねじキャップの筒部に取り付けた状態の説明図、（Ｂ）は取り外した状態の説明図である。
【図９】ストッパ部材を押下釦に付け替えた状態の噴出器の部分拡大正面図である。
【図１０】その他例の部分拡大正面図である。
【図１１】従来例の噴射装置部分の拡大斜視図である。
【図１２】別の従来例の噴射装置部分の拡大斜視図である。
【符号の説明】
【００５９】
１０    容器
１１    口部
２０    ポンプ式噴射装置
２１    ねじキャップ
２２    ねじキャップの筒部
２３    押下釦（操作部材）
２５    噴出口
２８    ステム（作動部材）
３０    ストッパ部材
３１    ストッパ腕部
３３    取手部
３６    バージンシール部
３９    把持部
４０    第１部分
４１    第２部分
４２    連結部
４３    掛止穴
４４    掛止ボタン
【図１】
2006240638.tif 000003
【図２】
2006240638.tif 000004
【図３】
2006240638.tif 000005
【図４】
2006240638.tif 000006
【図５】
2006240638.tif 000007
【図６】
2006240638.tif 000008
【図７】
2006240638.tif 000009
【図８】
2006240638.tif 000010
【図９】
2006240638.tif 000011
【図１０】
2006240638.tif 000012
【図１１】
2006240638.tif 000013
【図１２】
2006240638.tif 000014